(57)【要約】【課題】  音出しによって発する音をより明りょうにするとともに、キャップの軽量化を兼ねたねじキャップを提供すること。【解決手段】  容器本体に装着されるキャップ本体と、キャップ本体に螺合して装着される上蓋とからなるねじキャップであって、キャップ本体は、容器本体の口部に装着される装着部と、装着部から立設されるねじ壁部とを備え、上蓋は、頂壁と、頂壁から垂設されるねじ筒部とを備え、ねじ筒部の下端部に切欠き部を形成し、切欠き部の上部から垂設される音出し片と、装着部の上面に突設され、音出し片と係合して音を発する音出し突部とを有することを特徴とする。【選択図】  図１
2020104887.tif 000002
【特許請求の範囲】
【請求項１】
容器本体に装着されるキャップ本体と、キャップ本体に螺合して装着される上蓋とからなるねじキャップであって、
キャップ本体は、容器本体の口部に装着される装着部と、装着部から立設されるねじ壁部とを備え、
上蓋は、頂壁と、頂壁から垂設されるねじ筒部とを備え、
ねじ筒部の下端部に切欠き部を形成し、切欠き部の上部から垂設される音出し片と、装着部の上面に突設され、音出し片と係合して音を発する音出し突部とを有することを特徴とするねじキャップ。
【請求項２】
切欠き部は、音出し片がねじ壁部のねじ部分にぶつからないように形成されるとともに、音出し片が音を発することができるように十分な切欠きがされていることを特徴とする請求項１に記載のねじキャップ。
【請求項３】
キャップ本体は、内容物を案内する注出筒を有し、
上蓋は、頂壁の外周縁から垂設された外周壁と、頂壁の下面から垂設され、注出筒の内周面に密着する密封筒とを有することを特徴とする請求項１または２に記載のねじキャップ。
【請求項４】
キャップ本体は、注出筒の内周面に薄肉弱化部を介して連設される栓体を有し、
栓体は、上部に立設され、内周に第１係合突部が形成され、外周に外歯を有する筒状壁を有し、
上蓋は、頂壁の下面から垂設され、外周に第１係合突部と係合可能な第２係合突部が形成された係着部と、内周に外歯と噛み合う内歯を有する切断筒部とを有することを特徴とする請求項１〜３のいずれかに記載のねじキャップ。
【請求項５】
密封筒は、切断筒部の外周に設けて一体化されていることを特徴とする請求項４に記載のねじキャップ。
【請求項６】
キャップ本体は、ねじ壁部の外周に螺設された第１多条ねじ部を有し、
上蓋は、ねじ筒部の内周に螺設された第２多条ねじ部を有することを特徴とする請求項１〜５のいずれかに記載のねじキャップ。
【発明の詳細な説明】
【技術分野】
【０００１】
本発明は、ねじキャップに関し、特に回転動作で音を発することができるねじキャップに関するものである。
【背景技術】
【０００２】
キャップを回転させることにより開閉するねじキャップとして、キャップの回転動作によって音を発し、利用者に蓋の開閉を感覚的に認識させることができるねじキャップが従来から知られている（例えば、特許文献１参照）。
上記特許文献１記載のねじキャップは、中栓の上壁または嵌合筒部の上面に設けられた音出し突部に、キャップから垂設された音出し部材が、キャップの締結終了時に係合して音を発するものである。
【先行技術文献】
【特許文献】
【０００３】
【特許文献１】特開２０１８−１７２１５６号公報
【発明の概要】
【発明が解決しようとする課題】
【０００４】
しかしながら、上記特許文献１記載のねじキャップは、音出し部材および音出し突部がキャップの内部に設けてあるため、音が十分に外に伝わらず、聞こえにくいという問題があった。
また、音出し部材が独立してキャップから垂設されているため、キャップの重量が増加してしまうという問題もあった。
【０００５】
本発明は、上記問題を解決することを課題とし、音出しによって発する音をより明りょうにするとともに、キャップの軽量化を兼ねたねじキャップを提供することを目的とする。
【課題を解決するための手段】
【０００６】
本発明は、上記の課題を解決するため、ねじキャップとして、容器本体に装着されるキャップ本体と、キャップ本体に螺合して装着される上蓋とからなるねじキャップであって、キャップ本体は、容器本体の口部に装着される装着部と、装着部から立設されるねじ壁部とを備え、上蓋は、頂壁と、頂壁から垂設されるねじ筒部とを備え、ねじ筒部の下端部に切欠き部を形成し、切欠き部の上部から垂設される音出し片と、装着部の上面に突設され、音出し片と係合して音を発する音出し突部とを有することを特徴とする構成を採用する。
【０００７】
ねじキャップの実施形態として、切欠き部は、音出し片がねじ壁部のねじ部分にぶつからないように形成されるとともに、音出し片が音を発することができるように十分な切欠きがされていることを特徴とする構成、また、キャップ本体は、内容物を案内する注出筒を有し、上蓋は、頂壁の外周縁から垂設された外周壁と、頂壁の下面から垂設され、注出筒の内周面に密着する密封筒とを有することを特徴とする構成を採用する。
【０００８】
ねじキャップの具体的実施形態として、キャップ本体は、注出筒の内周面に薄肉弱化部を介して連設される栓体を有し、栓体は、上部に立設され、内周に第１係合突部が形成され、外周に外歯を有する筒状壁を有し、上蓋は、頂壁の下面から垂設され、外周に第１係合突部と係合可能な第２係合突部が形成された係着部と、内周に外歯と噛み合う内歯を有する切断筒部とを有することを特徴とする構成、密封筒は、切断筒部の外周に設けて一体化されていることを特徴とする構成、また、キャップ本体は、ねじ壁部の外周に螺設された第１多条ねじ部を有し、上蓋は、ねじ筒部の内周に螺設された第２多条ねじ部を有することを特徴とする構成を採用する。
【発明の効果】
【０００９】
本発明のねじキャップは、ねじ筒部の下部の切欠き部に音出し片を形成し、装着部上面に突設される音出し突部との係合で、音出しの音がより明りょうに発することができるとともに、音出し片をねじ筒部の切り欠きによって形成することで、上蓋が軽量化される。
【図面の簡単な説明】
【００１０】
【図１】ねじキャップの実施例において、容器本体に打栓して装着した状態を示す図であり、（ａ）は側断面図、（ｂ）は（ａ）のＸ−Ｘ線における矢視断面図である。
【図２】ねじキャップのキャップ本体を示す図であり、（ａ）は上面図、（ｂ）は側面図である。
【図３】ねじキャップの上蓋を示す図であり、（ａ）は側断面図、（ｂ）は下面図である。
【図４】ねじキャップの実施例において、（ａ）は第１多条ねじ部のねじ展開図（点線）、（ｂ）は第２多条ねじ部のねじ展開図（実線）である。
【図５】（ａ）は上蓋とキャップ本体とのセット時における第１多条ねじ部と第２多条ねじ部のねじ展開図であり、（ｂ）は（ａ）の要部拡大図であり、開閉蓋時に音出し片が音出し突部に係合して音を発することを示す図である。
【発明を実施するための形態】
【００１１】
次に、本発明のねじキャップについて、実施例を示した図面を参照して説明する。
【実施例】
【００１２】
図１において、Ａは容器本体、Ｂは容器本体Ａに装着されるキャップ本体、Ｃはキャップ本体Ｂに打栓してセットされる上蓋である。
【００１３】
図１に示すように、容器本体Ａの口部１は、キャップ本体Ｂに嵌着して抜け止め保持する係止突条２を備えている。
図１および図２に示すように、キャップ本体Ｂは、外周側の外筒５、内周側の内筒６、口部１の天面側に位置する上壁７とからなり、口部１が嵌入する環状溝を形成する装着部４と、上壁７に連設して立設されたねじ壁部８と、ねじ壁部８の上端に天壁９を介して連設された注出筒１０とから構成されている。
【００１４】
注出筒１０は、容器本体Ａ内に収容された内容物を注出する注出口を形成し、円筒状の基部１１と、基部１１の上部に拡径して外側に湾曲するリップ部１２とを有する。
注出筒１０の基部１１の内周面には、全周にわたって形成された薄肉弱化部１４を介して栓体１５が一体に連設されている。
栓体１５は、上部に円筒状の筒状壁１６が立設され、下部は底壁１７が薄肉弱化部１４とともに注出口を密閉している。
【００１５】
筒状壁１６は、外周に外歯１８が複数個所に突設され、筒状壁１６の内周上部には、第１係合突部１９が環状に突設されている。
外歯１８は、略径方向に形成され、後述する上蓋Ｃの内歯５１と噛み合う形状をなしている。
なお、本実施例では、外歯１８は、周方向６個所に設けているが、６個所に限らず栓体１５の形状等に合わせて複数の適宜個所に設けることができる。
【００１６】
ねじ壁部８は、注出筒１０の下部に内周縁で連設した天壁９の外周縁から垂設され、外周面には第１多条ねじ部２３が設けられている。
第１多条ねじ部２３は、図２（ａ）に示すように、通常のねじ山のように、断面が上下対称ではなく、上面が急傾斜して形成される傾斜上面２３ａと、下面が平坦に形成される平坦下面２３ｂとから構成され、第１多条ねじ部２３は、上端部が１８０°間隔で始まる２条ねじで形成されている。
なお、本実施例では、第１多条ねじ部２３は、２条ねじとしているが、ねじ壁部８の高さに応じて、３条以上の多条ねじとすることができる。
ねじ壁部８の内周面には、上部を天壁９に連設し軸方向に延びる補強リブ２４が複数配設されている。
【００１７】
装着部４の上壁７の上面には、後述する音出し片４６が係合して音を発するために、音出し突部２６が突設されている。
本実施例では、音出し突部２６は同心円状の１８０°間隔で２個所設けられているが、１あるいは３個所以上でもよい。
【００１８】
装着部４は、上壁７が内周縁でねじ壁部８の下部と連設し、上壁７の下部には外筒５と内筒６が垂設されている。
外筒５と内筒６の間には、容器本体Ａの口部１が嵌入する嵌合溝が形成され、外筒５の内周には、係止突条２に係合して口部１を抜け止めする係止縮径部２７が設けられている。
【００１９】
外筒５には、周方向にわたって外周面から径方向に切欠き凹部２９が凹設され、切欠き凹部２９の下部には、キャップ本体Ｂを容器本体Ａから分離して分別廃棄可能とする分別機構３０が設けられている。
分別機構３０は、外筒５の下部外周面の所定円弧範囲にわたって軸方向に形成された貫通スリット３１を介して把持部３２が設けられ、把持部３２は、薄肉の縦切断部３３によって外筒５から切り離され外方に展開可能になっている。
【００２０】
把持部３２の縦切断部３３から右方向には、上部に指先を入れて引っ掛けるための引っ掛け凹部３４が形成されている。
図２に示すように、貫通スリット３１は、縦切断部３３から把持部３２と反対方向（左方向）に始端部３１ａまで延び、他方の端部である終端部３１ｂで把持部３２が外筒５と一体となっている。
なお、本実施例では、貫通スリット３１は、約１２０°の円弧範囲にわたって形成され、貫通スリット３１のうち、引っ掛け凹部３４に隣接する中間部３１ｃから終端部３１ｂまでは、容易に破断できるように薄肉で接続されている。
【００２１】
貫通スリット３１の終端部３１ｂに隣接する外筒５の係止縮径部２７を含めた下部は、径方向に切り欠かれており、外筒５と把持部３２の間に破断可能な薄肉始断部３５が形成されている。
外筒５の切欠き凹部２９には、貫通スリット３１の終端部３１ｂから背面方向に延び、始端部３１ａ付近までの間の外筒５の内周側に破断可能な薄肉の周方向切断部３６と、周方向切断部３６の端部と終端部３１ｂとの間の大部分が把持部３２に対向する図示していない厚肉の厚肉連結部が形成されている。
【００２２】
図１および３に示すように、上蓋Ｃは、天板部に設けられた円板状の頂壁４０と、頂壁４０の外周縁から垂設された外周壁４１とを備え、頂壁４０の内面には、中央付近に垂設された係着部４２と、係着部４２から同心円状の外側へ順に、切断筒部４３、ねじ筒部４４が頂壁４０と一体に垂設されている。
【００２３】
係着部４２には、キャップ本体Ｂの第１係合突部１９を乗り越えて筒状壁１６の内周面に緊密に嵌合する環状の第２係合突部４８が先端外周に形成されている。
【００２４】
切断筒部４３は、閉蓋時に、外周が注出筒１０の内周面に密着して注出口を密閉する密封筒５０と、密封筒５０の内周に、外歯１８と噛み合う内歯５１とを備え、本実施例の内歯５１は、外歯１８と同数の周方向６個所に設けられている。
【００２５】
ねじ筒部４４は、内周にキャップ本体Ｂの第１多条ねじ部２３に螺合する第２多条ねじ部５５が設けられ、第２多条ねじ部５５は、通常のねじ山のように、断面が上下対称ではなく、上面が平坦に形成される平坦上面５５ａと、下面が急傾斜して形成される傾斜下面５５ｂとから構成され、第２多条ねじ部５５は、下端部が１８０°間隔で始まる２条ねじで形成されている。
なお、第２多条ねじ部５５は、前述のように、第１多条ねじ部２３に対応して、３条以上の多条ねじとすることができる。
【００２６】
図４に示すように、ねじ筒部４４の下端部には切欠き部４５が形成され、切欠き部４５の上部から音出し片４６が垂設されている。
切欠き部４５は、音出し片４６が回転時に第１多条ねじ部２３にぶつからないように形成されるとともに、音出し片４６が音を発することができるように十分な切欠きがなされなければならない。
本実施例では、図４（ｂ）に示すように、切欠き部４５は、第２多条ねじ部５５の下に山状に切り欠きされ、最も高い位置（頂壁）から音出し片４６が垂設されている。
切欠き部４５は、最も低い位置から傾斜面を介して最も高い位置につながった山形状をしているが、切欠き部４５の形状自体は、音出し片４６が音を明りょうに発することができればどのようなものであっても構わない。
また、音出し片４６は、弾いて音が鳴りやすいように、０．４〜１．０ｍｍの厚さとすることが好ましい。
【００２７】
音出し片４６は、上蓋Ｃの締め込み終了直前に音出し片４６の先端部がキャップ本体Ｂの音出し突部２６に当接し、締め込み終了と同時に音出し片４６が音出し突部２６を乗り越え、振動し、音を発するように設定される。
本実施例では、音出し片４６は、音出し突部２６と同様に同心円状の１８０°間隔で２個所に分かれて配設されているが、音出し突部２６と同数で１あるいは３個所以上としてもよい。
また、外周壁４１は、図１（ａ）に示すように、音出しによって発せられた音が外部に届くように、締め込み終了時には、キャップ本体Ｂの外筒５や分別機構３０に当接しないように隙間が設けられている。
【００２８】
次に、本実施例の使用態様と作用効果について説明する。
まず、本実施例のねじキャップを容器本体Ａに装着するには、キャップ本体Ｂの上部から上蓋Ｃを打栓し、キャップ本体Ｂと上蓋Ｃをセットしてから口部１にキャップ本体Ｂの装着部４を当てがって打栓する。
【００２９】
上蓋Ｃのキャップ本体Ｂへの打栓に際し、上蓋Ｃに荷重を掛けない状態で、上蓋Ｃを左右方向にわずかに回転させると、切断筒部４３の内歯５１は、図１（ｂ）に示す位置に到達し、内歯５１は、外歯１８の間に嵌入し、栓体１５の外歯１８と噛み合うことが可能な状態となる。
このとき、キャップ本体Ｂの第１多条ねじ部２３と、上蓋Ｃの第２多条ねじ部５５との位置関係は、図４および図５（ａ）のねじ展開図に示すように、ねじ位相が一致している。
【００３０】
この状態から、上蓋Ｃをキャップ本体Ｂに押し込むと、図１（ａ）に示すように、上蓋Ｃの第２多条ねじ部５５は、傾斜下面５５ｂが第１多条ねじ部２３の傾斜上面２３ａに摺接しながら第１多条ねじ部２３を乗り越えて、上蓋Ｃのねじ筒部４４は、キャップ本体Ｂのねじ壁部８に嵌合するようになり、上蓋Ｃのキャップ本体Ｂへの装着が完了する。
【００３１】
このように、本実施例のねじキャップは、上蓋Ｃをキャップ本体Ｂにセットする際に、上蓋Ｃを打栓によってキャップ本体Ｂに装着するものであるが、ラチェット機構を用いて、ねじ回転により上蓋Ｃとキャップ本体Ｂとのセットを完了させてもよい。
セット状態に組立られたねじキャップは、内容物が充填された容器本体Ａの口部１に、キャップ本体Ｂの装着部４を当てがって打栓され、使用に供される。
本実施例では、打栓でねじキャップを容器本体Ａに装着するものであるが、螺合で装着するものであってもよい。
【００３２】
次に、本実施例のねじキャップが装着された容器を使用するには、上蓋Ｃをキャップ本体Ｂに対して螺脱方向に回転させる。
上蓋Ｃを回転すると、切断筒部４３の内歯５１が回動してキャップ本体Ｂの栓体１５の外歯１８に当接し、上蓋Ｃの回転力が両歯を介して栓体１５に加わるようになる。
【００３３】
回転が進むと、ねじ筒部４４の切欠き部４５内に設けられた音出し片４６の先端部が、ねじ壁部８の下部で上壁７の上面に設けられた音出し突部２６に当接し、さらに回転が進むと、図５に示すように、音出し片４６が湾曲変形しながら、音出し突部２６を乗り越え、湾曲変形した音出し片４６が復元して振動し、音が発せられる。
【００３４】
このとき、係着部４２の第２係合突部４８が栓体１５の筒状壁１６の内周面に緊密に嵌合しているので、筒状壁１６を内側から補強して上蓋Ｃの回転力が内歯５１および外歯１８を介して栓体１５に伝わりやすくなるとともに、両ねじの回転に伴って栓体１５を上方に引き上げる力を発生させる。
上蓋Ｃの回転が進むと、栓体１５に加わる回転力と引き上げ力により、ついには薄肉弱化部１４が破断して注出筒１０内に注出口が開栓され、注出筒１０から分離された栓体１５は、筒状壁１６に係合する係着部４２によって引き上げられて上蓋Ｃとともに上昇していく。
【００３５】
さらに、第２多条ねじ部５５が第１多条ねじ部２３から螺脱して、上蓋Ｃをキャップ本体Ｂから離脱させれば、上蓋Ｃとともに栓体１５が除去された注出筒１０の注出口から容器本体Ａ内の内容物を注出することができる。
【００３６】
内容物を注出した後、再度、上蓋Ｃをキャップ本体Ｂに螺合する際には、上蓋Ｃの切断筒部４３の密封筒５０が注出筒１０の内周に密着して容器内を密封することができる。
また、両ねじの螺合が完了する際には、図５に示すように、再度、音出し片４６の先端部が、音出し突部２６に係合して振動し、音が発せられるので、本発明の利用者は、感覚（クリック感）的にキャップの閉蓋終了を知ることができる。
【００３７】
本実施例のねじキャップのキャップ本体Ｂは、容器を使用した後に廃棄する際に、簡単な操作で容器本体Ａから分離し、分別して廃棄することができる。
まず、図２（ｂ）に示す縦切断部３３付近の引っ掛け凹部３４に手指を掛けて把持部３２を手前に引っ張ると、縦切断部３３が破断し、把持部３２が外方に展開する。
把持部３２を指で把持しながら、さらに把持部３２を引っ張ると、貫通スリット３１の中間部３１ｃから終端部３１ｂまでの薄肉部分は、簡単に破断された後、貫通スリット３１の終端部３１ｂに隣接して設けられた薄肉始断部３５が破断し、周方向切断部３６へと破断が進んでいく。
【００３８】
周方向切断部３６が破断したところでは、係止縮径部２７の係止突条２への係合が解除されるので、厚肉連結部の近くまで破断が進むと、係止縮径部２７による口部１への拘束が解除され、把持部３２を引き上げると、キャップ本体Ｂを容器本体Ａから離脱させ分別廃棄することができる。
【００３９】
本実施例では、薄肉弱化部１４を破断して注出筒１０内の注出口を開栓するとともに、栓体１５を上蓋Ｃに移行させるものであるが、注出筒１０内に隔壁を設け、隔壁に設けられた薄肉弱化部をプルリング等で破断して注出口を開栓するものであってもよく、最初から注出筒１０内に注出口を有するものであってもよい。
また、本実施例では、ねじとして少ない回転数で螺合可能な多条ねじを使用しているが、通常のねじであっても構わない。
【産業上の利用可能性】
【００４０】
本発明のねじキャップは、上蓋の開閉時に音が発せられ、利用者が上蓋の開閉状態を感覚的に知ることができ、開閉蓋時に無理に回転しすぎることがない。
また、開閉蓋時の音が明りょうに発することができるとともに、上蓋が軽量化されており、とくに子供やお年寄りでも安心して利用でき、飲食品や調味料などの容器に好適に利用できる。
【符号の説明】
【００４１】
Ａ            容器本体
Ｂ            キャップ本体
Ｃ            上蓋
１            口部
２            係止突条
４            装着部
５            外筒
６            内筒
７            上壁
８            ねじ壁部
９            天壁
１０            注出筒
１１            基部
１２            リップ部
１４            薄肉弱化部
１５            栓体
１６            筒状壁
１７            底壁
１８            外歯
１９            第１係合突部
２３            第１多条ねじ部
２３ａ          傾斜上面
２３ｂ          平坦下面
２４            補強リブ
２６            音出し突部
２７            係止縮径部
２９            切欠き凹部
３０            分別機構
３１            貫通スリット
３１ａ          始端部
３１ｂ          終端部
３１ｃ          中間部
３２            把持部
３３            縦切断部
３４            引っ掛け凹部
３５            薄肉始断部
３６            周方向切断部
４０            頂壁
４１            外周壁
４２            係着部
４３            切断筒部
４４            ねじ筒部
４５            切欠き部
４６            音出し片
４８            第２係合突部
５０            密封筒
５１            内歯
５５            第２多条ねじ部
５５ａ          平坦上面
５５ｂ          傾斜下面
【図１】
2020104887.tif 000003
【図２】
2020104887.tif 000004
【図３】
2020104887.tif 000005
【図４】
2020104887.tif 000006
【図５】
2020104887.tif 000007